(57)【要約】【課題】支払いの際の利便性を高める決済システムを提供する。【解決手段】利用者端末１６は商品識別情報と加盟店識別情報を取得する（Ｓ１）。取得した情報は利用者識別情報とともに管理者に送る（Ｓ２）。管理者端末１２はこれらの情報に基づいて決済情報を作成し、利用者端末１６に送る（Ｓ３）。支払い金受領端末１４は利用者端末１６から決済情報を取得する（Ｓ４）。支払い金受領端末１４は利用者端末１６から取得した決済情報を管理者端末１２に送る（Ｓ５）。管理者端末１２は支払い金額情報を支払い金受領端末１４に送る（Ｓ６）。利用者は商品の購入代金を支払い金受領端末１４に支払う（Ｓ７）。支払い金受領端末１４は支払い完了通知を管理者端末１２に送る（Ｓ８）。管理者端末１２は決済完了通知を利用者端末１６に送る（Ｓ９）。【選択図】図１
2016095547.tif 000002
【特許請求の範囲】
【請求項１】
管理者に属する管理者端末と、
利用者から支払い金を受領する支払い金受領端末とを備える決済システムにおいて、
支払い金受領端末が、
利用者から決済情報を取得する手段と、
取得した決済情報を管理者端末に送信する手段と、
管理者端末から支払い金情報を取得する手段と、
前記支払い金情報に基づいて支払い金を受領する手段と、
支払い金を受領した場合に支払いが完了したことを管理者端末に通知する手段とを備え、
管理者端末が、
支払い金受領端末から取得した決済情報の有効性を検証する手段と、
支払い金受領端末から取得した決済情報の有効性が確認された場合に支払い金情報を支払い金受領端末に送信する手段とを備える、
決済システム。
【請求項２】
前記支払い金受領端末が、
現金受け取り手段、ポスペイド読み取り手段、プリペイド読み取り手段のうち少なくとも何れかの手段により支払い金を受領する、
請求項１に記載の決済システム。
【請求項３】
前記支払い金受領端末が、
自動販売機に備わる現金受け取り手段、ポスペイド読み取り手段、プリペイド読み取り手段のうち少なくとも何れかの手段により支払い金を受領する、
請求項１または２に記載の決済システム。
【請求項４】
前記支払い金受領端末が、
近距離無線通信手段、画像読み取り手段、テキスト入力手段、音声入力手段のうち少なくとも何れかの手段により決済情報を取得する、
請求項１乃至３の何れかに記載の決済システム。
【請求項５】
前記支払い金受領端末が、
前記管理者端末から取得した支払い金額情報に基づいて支払い金の金額を提示する手段をさらに備える、
請求項１乃至４の何れかに記載の決済システム。
【請求項６】
前記支払い金受領端末が、
前記支払い金受領端末を識別するための端末識別情報を前記管理者端末に送信する手段をさらに備える、
請求項１乃至５の何れかに記載の決済システム。
【請求項７】
利用者に属する利用者端末をさらに備え、
前記利用者端末が、
任意の加盟店において購入を希望する任意の商品を識別するための商品識別情報を取得する手段と、
利用者を識別するための利用者識別情報と前記商品識別情報とを前記管理者端末に送信する手段とを備え、
前記管理者端末が、
前記利用者識別情報と前記商品識別情報とに基づいて前記決済情報を作成する手段と、
前記決済情報を前記利用者端末に送信する手段とを備える、
請求項１乃至６の何れかに記載の決済システム。
【請求項８】
前記利用者端末が、
前記任意の加盟店を識別するための加盟店識別情報を取得する手段と、
前記利用者識別情報と前記商品識別情報と前記加盟店識別情報とを前記管理者端末に送信する手段とを備え、
前記管理者端末が、
前記利用者識別情報と前記商品識別情報と前記加盟店識別情報とに基づいて前記決済情報を作成する手段と、
前記決済情報を前記利用者端末に送信する手段とを備える、
請求項７に記載の決済システム。
【請求項９】
前記利用者端末が、
近距離無線通信手段、画像読み取り手段、テキスト入力手段、音声入力手段のうち少なくとも何れかの手段により前記商品識別情報を取得する、
請求項７または８に記載の決済システム。
【請求項１０】
前記利用者端末が、
前記商品識別情報を取得したときに前記加盟店識別情報も併せて取得する、
請求項８または９に記載の決済システム。
【請求項１１】
前記管理者端末が、
利用者の利用者識別情報と、前記利用者の利用者端末から受信した複数の商品識別情報を前記利用者の履歴情報として記憶する手段をさらに備える、
請求項７乃至１０の何れかに記載の決済システム。
【請求項１２】
前記利用者端末が、
前記利用者端末が取得した複数の商品識別情報を履歴情報として記憶する手段をさらに備える、
請求項７乃至１１の何れかに記載の決済システム。
【請求項１３】
前記履歴情報に複数の商品識別情報および複数の加盟店識別情報を含む、
請求項１１または１２に記載の決済システム。
【請求項１４】
前記管理者端末が、
前記決済情報と前記履歴情報とを紐付けする手段をさらに備える、
請求項１１乃至１３の何れかに記載の決済システム。
【請求項１５】
前記利用者端末が、
前記決済情報と前記履歴情報とを紐付けする手段をさらに備える、
請求項１１乃至１４の何れかに記載の決済システム。
【請求項１６】
前記支払い金受領端末が、
前記加盟店に備わる現金受け取り手段、ポスペイド読み取り手段、プリペイド読み取り手段のうち少なくとも何れかの手段により支払い金を受領する、
請求項７乃至１５の何れかに記載の決済システム。
【請求項１７】
前記履歴情報に記憶されている前記加盟店識別情報と異なる加盟店識別情報を有する加盟店に備えられた前記支払い金受領端末が支払い金を受領する、
請求項７乃至１６の何れかに記載の決済システム。
【請求項１８】
前記支払い金受領端末が、
前記管理者端末から取得した支払い金情報に基づいて販売時点情報管理システムが読み取り可能な商品情報に変換して表示する手段をさら備える、
請求項７乃至１７の何れかに記載の決済システム。
【請求項１９】
前記加盟店が、
実店舗もしくは仮想店舗の少なくとも何れかの店舗である、
請求項７乃至１８の何れかに記載の決済システム。
【請求項２０】
前記商品が電子コンテンツであるときに、前記管理者端末から前記利用者端末に前記電子コンテンツのダウンロードに関連する情報を送信する、
請求項７乃至１９の何れかに記載の決済システム。
【請求項２１】
請求項１１に記載の決済システムを利用する決済方法において、
前記利用者端末が商品識別情報を取得する操作に基づいて前記管理者端末が前記商品識別情報を前記履歴情報として記憶する工程を実行する、
決済方法。
【請求項２２】
請求項１２に記載の決済システムを利用する決済方法において、
前記利用者端末が商品識別情報を取得する操作に基づいて前記利用者端末が前記商品識別情報を前記履歴情報として記憶する工程を実行する、
決済方法。
【請求項２３】
請求項７乃至２０の何れかに記載の決済システムを利用する決済方法において、
前記利用者端末が、購入を希望する任意の商品を識別するための商品識別情報を取得する工程と、利用者を識別するための利用者識別情報と前記商品識別情報とを前記管理者端末に送信する工程と、前記管理者端末が、前記利用者識別情報と前記商品識別情報とに基づいて前記決済情報を作成する工程と、前記決済情報を前記利用者端末に送信する工程の全工程を、前記利用者端末が前記商品識別情報を取得する操作に基づいて実行する、
決済方法。
【請求項２４】
請求項７乃至２０の何れかに記載の決済システムを利用する決済方法において、
前記支払い金受領端末が、前記管理者端末に支払い完了通知を送信する工程と、前記管理者端末が、前記支払い完了通知に基づいて決済完了通知または電子コンテンツのダウンロードに関連する情報を前記利用者端末に送信する工程の全工程を、前記支払い金受領端末が前記支払い金を受領する操作に基づいて実行する、
決済方法。
【請求項２５】
請求項７乃至２３の何れかに記載の決済システムを利用する決済方法において、
前記利用者端末が、前記商品識別情報を取得する工程と、利用者を識別するための利用者識別情報と前記商品識別情報とを前記管理者端末に送信する工程と、前記決済情報を前記管理者端末から受信する工程を同一のブラウザで実行する、
決済方法。
【請求項２６】
請求項２０または請求項２４に記載の決済システムを利用する決済方法において、
前記利用者端末が、前記決済情報を提示する工程と、前記管理者端末から前記電子コンテンツのダウンロードに関連する情報を受信する工程を同一のブラウザで実行する、
決済方法。
【発明の詳細な説明】
【技術分野】
【０００１】
本発明は、支払い金の受領を代行する決済システムに関する。
【背景技術】
【０００２】
商品の購入形態は大きく分けて二つのパターンがある。一つは、商品を陳列する店舗に赴き、そこで商品を購入するという従来最も多く見られる対面販売である。この場合、購入した商品は自らが持ち帰るか、もしくは個別配送サービス等を用いて後日受け取る。もう一つのパターンは、雑誌やテレビ放送、さらにはインターネット等の宣伝広告媒体を通じて商品を選択し、個別配送サービス等を通じて商品を購入するというものである。近年は特にインターネットを利用した通信販売が盛んであり、自宅に居ながらにして買い物ができる利便性が多くの消費者に訴求している。とはいえ、商品の性質によっては実際に見て触れてみないと消費者の納得を得られないものも多く、また買い物という行為自体を楽しみたいという欲求もあることから、当面の間は対面販売がなくなることはないと思われる。
【０００３】
商品の購入代金の支払いは、何れのパターンにおいても現金もしくはカード決済で行われる場合がほとんどである。カード決済はサイン一つで決済が完了するという使い勝手の良さが最大の特徴であり、また利用額に応じてポイントが加算されるなどのサービスも充実している。しかしその一方で、カード決済には個人情報の漏洩やスキミング等の危険性があり、さらには所持金がなくとも買い物ができることによる一種の依存症的な側面が指摘されていることから、カード自体を所有しないか、所有していても極力使用しないという消費者も多い。現金による支払いにはこのような問題はなく、貨幣および紙幣の移動という目に見える形で支払いが行われるため、決済の状況が払い手側にも受け手側にも分かりやすく、双方にとって信用度の高い安心して利用できる支払い方法である。
【先行技術文献】
【特許文献】
【０００４】
【特許文献１】特開２００３−２３３７２６号公報
【特許文献２】特開２００４−２８０５８０号公報
【発明の概要】
【発明が解決しようとする課題】
【０００５】
ところで、百貨店やショッピングモール等に併設された専門店の場合、各専門店がそれぞれ独立した経営主体であることが多く、商品の購入の都度、店舗毎に会計を行っているのが現状である。買い物客にとっては既に購入した商品を所持した状態で何回も会計を行うのは煩雑であり、特に現金支払いの場合はそれが顕著である。また、ある店舗で見かけて気になっていた商品を後で購入しようと思った場合であっても、時間の都合や移動が面倒なことを理由に購入を見送ることもある。
【０００６】
そこで、複数の店舗で購入した商品の代金を後でまとめて支払うことができたり、別の店舗で気になっている商品を他の店舗で購入することができたりすれば、消費者にとって利便性が向上するだけではなく、店舗側にとっても売り上げの向上につながる。
【０００７】
本発明は、前述した課題を解決するためになされたものであり、商品購入代金や各種支払い金の支払いの利便性を高める決済システムを提供することを目的とする。
【課題を解決するための手段】
【０００８】
本発明の第１の態様は、管理者に属する管理者端末と、利用者から支払い金を受領する支払い金受領端末とを備える決済システムにおいて、支払い金受領端末が、利用者から決済情報を取得する手段と、取得した決済情報を管理者端末に送信する手段と、管理者端末から支払い金情報を取得する手段と、前記支払い金情報に基づいて支払い金を受領する手段と、支払い金を受領した場合に支払いが完了したことを管理者端末に通知する手段とを備え、管理者端末が、支払い金受領端末から取得した決済情報の有効性を検証する手段と、支払い金受領端末から取得した決済情報の有効性が確認された場合に支払い金情報を支払い金受領端末に送信する手段とを備える決済システムである。
【０００９】
本発明において、管理者端末は、システム全体の情報処理を司る演算処理機能を備える装置であり、主としてサーバにより構成される。支払い金受領端末は、管理者端末との通信機能や利用者端末から決済情報を取得する機能等を備える装置であり、主としてタブレットやパソコン等の汎用演算装置のほかに本システム専用の演算装置として構成される。
【００１０】
この決済システムは、管理者、利用者、および支払い金受領端末の三者間で行われる決済処理を管理するシステムである。決済システムは、インターネット回線もしくは専用回線を利用したネットワーク上で展開される。決済は、利用者と管理者との間で共有される決済情報に基づいて行われ、支払い金受領端末が両者間の決済を仲介する。商品には有体物だけではなく電子コンテンツや無形のサービス等も含まれる。加盟店には有人の店舗だけではなく無人の店舗や自動販売機、現金受領装置、電子マネー受領装置等も含まれる。
【００１１】
前記支払い金受領端末が、現金受け取り手段、ポスペイド読み取り手段、プリペイド読み取り手段のうち少なくとも何れかの手段により支払い金を受領するように構成することもできる。
【００１２】
これにより、支払い金受領端末の設置場所、有人もしくは無人の店舗形態等に応じて、現金受け取り手段、ポスペイド読み取り手段、プリペイド読み取り手段から適宜選択することができる。
【００１３】
前記支払い金受領端末が、自動販売機に備わる現金受け取り手段、ポスペイド読み取り手段、プリペイド読み取り手段のうち少なくとも何れかの手段により支払い金を受領するように構成することもできる。
【００１４】
自動販売機は公共施設や大型施設、商店街、住宅地など非常に多くの場所に設置されているため、既設の自動販売機を支払い金受領端末として利用することにより、利用者が外出の際に手軽に支払いを行うことができるようになり、利便性が向上する。
【００１５】
前記支払い金受領端末が、近距離無線通信手段、画像読み取り手段、テキスト入力手段、音声入力手段のうち少なくとも何れかの手段により決済情報を取得するように構成することもできる。
【００１６】
多くのスマートフォンにはこれらの手段に対応する何れかの機能が備わっている。従って、利用者が所有するスマートフォンをそのまま使用して決済情報を取得ができる。また、テキスト入力手段と音声入力手段を備えることで、スマートフォン等の端末を使用しない場合でも決済情報を入力することが可能になる。
【００１７】
本発明の第２の態様は、管理者に属する管理者端末と、利用者から支払い金を受領する支払い金受領端末とを備える決済システムにおいて、支払い金受領端末が、利用者から決済情報を取得する手段と、取得した決済情報を管理者端末に送信する手段と、管理者端末から支払い金情報を取得する手段と、前記支払い金情報に基づいて支払い金を受領する手段と、支払い金を受領した場合に支払いが完了したことを管理者端末に通知する手段とを備え、管理者端末が、支払い金受領端末から取得した決済情報の有効性を検証する手段と、支払い金受領端末から取得した決済情報の有効性が確認された場合に支払い金情報を支払い金受領端末に送信する手段とを備え、利用者に属する利用者端末をさらに備え、前記利用者端末が、任意の加盟店において購入を希望する任意の商品を識別するための商品識別情報を取得する手段と、利用者を識別するための利用者識別情報と前記商品識別情報とを前記管理者端末に送信する手段とを備え、前記管理者端末が、前記利用者識別情報と前記商品識別情報とに基づいて前記決済情報を作成する手段と、前記決済情報を前記利用者端末に送信する手段とを備える決済システムである。
【００１８】
第１の態様においては、決済情報は、利用者個人と支払いの対象となる商品（サービス）が特定できるものであれば様々な態様のものを使用することができる。これに対して第２の態様では、決済情報を特定の手段により作成されるものに限定している。
【００１９】
前記利用者端末が、前記任意の加盟店を識別するための加盟店識別情報を取得する手段と、前記利用者識別情報と前記商品識別情報と前記加盟店識別情報とを前記管理者端末に送信する手段とを備え、前記管理者端末が、前記利用者識別情報と前記商品識別情報と前記加盟店識別情報とに基づいて前記決済情報を作成する手段と、前記決済情報を前記利用者端末に送信する手段とを備えるように構成することもできる。
【００２０】
決済情報に加盟店識別情報を含むことにより、利用者が商品を購入した店舗を把握することができるようになるため、加盟店として複数の店舗が存在する場合であっても、該当する店舗に支払い金を分配することができる。
【００２１】
前記利用者端末が、近距離無線通信手段、画像読み取り手段、テキスト入力手段、音声入力手段のうち少なくとも何れかの手段により前記商品識別情報を取得するように構成することもできる。
【００２２】
これらの手段のうち少なくとも何れかが備わっているスマートフォンは、利用者端末として好適に使用することができる。
【００２３】
前記利用者端末が、前記商品識別情報を取得したときに前記加盟店識別情報も併せて取得するように構成することもできる。
【００２４】
前記管理者端末が、利用者の利用者識別情報と、前記利用者の利用者端末から受信した複数の商品識別情報を前記利用者の履歴情報として記憶する手段をさらに備えるように構成することもできる。
【００２５】
前記利用者端末が、前記利用者端末が取得した複数の商品識別情報を履歴情報として記憶する手段をさらに備えるように構成することもできる。
【００２６】
履歴情報は、管理者端末で記憶するか、もしくは利用者端末で記憶することができる。管理者端末で記憶する場合、利用者が商品識別情報を取得する度に管理者端末に送信する。利用者端末で記憶する場合、利用者が商品識別情報を取得する度に利用者端末に一時保存し、決済を行う段階で管理者端末に送信する。
【００２７】
前記履歴情報に複数の商品識別情報および複数の加盟店識別情報を含むように構成することもできる。
【００２８】
前記管理者端末が、前記決済情報と前記履歴情報とを紐付けする手段をさらに備えるように構成することもできる。
【００２９】
前記利用者端末が、前記決済情報と前記履歴情報とを紐付けする手段をさらに備えるように構成することもできる。
【００３０】
決済情報と履歴情報を紐付けすることにより、一つの決済情報で履歴情報に記憶されている複数の商品の決済を行うことができる。従って、複数の加盟店で複数の商品を購入する場合であっても１回の決済処理で全ての決済を完了させることが可能になる。
【００３１】
前記支払い金受領端末が、前記加盟店に備わる現金受け取り手段、ポスペイド読み取り手段、プリペイド読み取り手段のうち少なくとも何れかの手段により支払い金を受領するように構成することもできる。
【００３２】
前記履歴情報に記憶されている前記加盟店識別情報と異なる加盟店識別情報を有する加盟店に備えられた前記支払い金受領端末が支払い金を受領するように構成することもできる。
【００３３】
利用者は商品の購入を希望する加盟店において決済までを行うことも多いであろうが、他の加盟店において決済を行うこともあり得ることから、このような利用者の消費行動にも対応することにより、利用者は場所や時間に拘束されることなく好きなときに決済を行うことができるようになる。
【００３４】
前記支払い金受領端末が、前記管理者端末から取得した支払い金情報に基づいて販売時点情報管理システムが読み取り可能な商品情報に変換して表示する手段をさらに備えるように構成することもできる。
【００３５】
販売時点情報管理システム（ＰＯＳシステム）を導入している加盟店では、本システムにおける決済処理をＰＯＳシステムに連動させたいという希望もあることに鑑み、ＰＯＳシステムの読み取り端末による読み取りが可能な商品情報として表示することもできる。
【００３６】
前記加盟店が、実店舗もしくは仮想店舗の少なくとも何れかの店舗であるように構成することもできる。
【００３７】
実店舗では実際の商品や商品のパッケージに付されたコード情報等を読み取ることにより利用者端末に商品識別情報を取得することができる。仮想店舗とは、インターネットサイト上の仮想空間に開設された店舗であり、利用者端末でインターネットサイトを閲覧して希望する商品に付されたボタン等を操作することにより利用者端末に商品識別情報を取得することができる。
【００３８】
前記商品がインターネット回線等を通じて送受信が可能な電子コンテンツであるときには、前記管理者端末から前記利用者端末に前記電子コンテンツのダウンロードに関連する情報を送信するように構成することもできる。
【００３９】
電子コンテンツのダウンロードに関連する情報は、利用者端末に電子コンテンツをダウンロードする際に必要な情報、例えば、電子コンテンツを保存するサーバのＵＲＬや利用者を認証するためのキー、ダウンロード期限等の情報であり、これらの情報を受け取った利用者は、いつでも好きなときに任意の端末に電子コンテンツをダウンロードすることができる。
【００４０】
本発明の第３の態様は、前記利用者端末が商品識別情報を取得する操作に基づいて前記管理者端末が前記商品識別情報を前記履歴情報として記憶する工程を実行する、決済方法である。
【００４１】
本発明の第４の態様は、前記利用者端末が商品識別情報を取得する操作に基づいて前記利用者端末が前記商品識別情報を前記履歴情報として記憶する工程を実行する、決済方法である。
【００４２】
この決済方法は、利用者が同一の店舗で商品を２点以上購入する場合において、２点目以降は商品識別情報を取得する操作を行うだけで自動的に履歴情報に記憶されるように構成されている。この構成により、複数の商品を購入する際の利用者端末の操作回数を最小限に抑えることができるようになり、利便性が向上する。
【００４３】
本発明の第５の態様は、前記利用者端末が、購入を希望する任意の商品を識別するための商品識別情報を取得する工程と、利用者を識別するための利用者識別情報と前記商品識別情報とを前記管理者端末に送信する工程と、前記管理者端末が、前記利用者識別情報と前記商品識別情報とに基づいて前記決済情報を作成する工程と、前記決済情報を前記利用者端末に送信する工程の全工程を、前記利用者端末が前記商品識別情報を取得する操作に基づいて実行する、決済方法である。
【００４４】
この決済方法では、利用者が利用者端末を用いて任意の商品の識別情報を取得すると、このワンアクションの操作に基づいて、管理者端末で作成された決済情報を利用者端末で受信するまでの一連の処理が自動的に行われる。
【００４５】
本発明の第６の態様は、前記支払い金受領端末が、前記管理者端末に支払い完了通知を送信する工程と、前記管理者端末が、前記支払い完了通知に基づいて決済完了通知または電子コンテンツのダウンロードに関連する情報を前記利用者端末に送信する工程の全工程を、前記支払い金受領端末が前記支払い金を受領する操作に基づいて実行する、決済方法である。
【００４６】
この決済方法では、利用者が支払い金受領端末に対して商品の購入代金の支払いを行うと、このワンアクションの操作に基づいて、決済完了通知もしくはダウンロードに関する情報を管理者端末から利用者端末が受信するまでの一連の処理が自動的に行われる。
【００４７】
本発明の第７の態様は、前記利用者端末が、前記商品識別情報を取得する工程と、利用者を識別するための利用者識別情報と前記商品識別情報とを前記管理者端末に送信する工程と、前記決済情報を前記管理者端末から受信する工程を同一のブラウザで実行する、決済方法である。
【００４８】
この決済方法では、同一のブラウザにおいて商品識別情報の取得から決済情報の受信までが完結するので、無駄のない最小限の操作で決済を行うことができる。
【００４９】
本発明の第８の態様は、前記利用者端末が、前記決済情報を提示する工程と、前記管理者端末から前記電子コンテンツのダウンロードに関連する情報を受信する工程を同一のブラウザで実行する、決済方法である。
【００５０】
この決済方法では、同一のブラウザにおいて決済情報の提示からダウンロード情報の受信までが完結するので、無駄のない最小限の操作で決済を行うことができる
【発明の効果】
【００５１】
本発明の決済システムは、利用者と管理者との間に支払い金受領端末が介在し、両者間の決済を仲介する。支払い金受領端末は有人または無人の店舗、自動販売機等に設置することができるので、従来は店舗のみでしか行うことができなかった支払いが様々な場所で行うことができるようになり、利用者にとって利便性が向上するだけではなく、店舗にとっても売り上げの向上につながる。
【図面の簡単な説明】
【００５２】
【図１】決済システムにおける第１の決済処理の仕組みを示す概念図
【図２】決済システムにおける第２の決済処理の仕組みを示す概念図
【図３】決済システムにおける第３の決済処理の仕組みを示す概念図
【図４】決済システムのシステム構成図
【図５】決済システムにおける決済処理の手順を示すフローチャート
【図６】電子コンテンツの配信サービスを示す図
【図７】電子書籍の購入方法の一形態を示す図
【発明を実施するための形態】
【００５３】
本発明の実施の形態について図面を参照して説明する。
【００５４】
〔決済システムの概要〕
図１は決済システムの第１の実施例を示す概念図である。本システムは、管理者、加盟店Ａ、加盟店Ｂ、自動販売機、利用者の間における決済に関する情報処理を行うシステムである。本システムは、管理者に属する管理者端末１２、自動販売機に備わる支払い金受領端末１４、利用者に属する利用者端末１６によって構成されている。管理者は、本システムを管理し、委託を受けた決済処理を代行する主体である。利用者は、本システムを利用して商品を購入する主体である。加盟店Ａ、Ｂは、利用者に商品の販売等のサービスを提供する主体である。自動販売機は、商品購入の対価を利用者から受け取る主体である。
【００５５】
本システムにおける決算処理の流れは以下の通りである。利用者は、加盟店Ａもしくは加盟店Ｂで購入したい商品（サービス）があれば、その商品を特定するための商品識別情報と、加盟店Ａもしくは加盟店Ｂを特定するための加盟店識別情報を取得する（Ｓ１）。商品は加盟店Ａと加盟店Ｂの両方で購入することもできる。利用者は、利用者端末１６を用いて、利用者を特定する利用者識別情報とともに商品識別情報と加盟店識別情報を管理者に送る（Ｓ２）。管理者端末１２は、利用者識別情報、商品識別情報、加盟店識別情報に基づいて決済情報を作成し、作成した決済情報を利用者端末１６に送る（Ｓ３）。支払い金受領端末１４は、利用者端末１６から決済情報を取得する（Ｓ４）。支払い金受領端末１４は、利用者端末１６から取得した決済情報を管理者端末１２に送る（Ｓ５）。管理者端末１２は、支払い金受領端末１４から受けた決済情報の基づいて支払い金額情報を支払い金受領端末１４に送る（Ｓ６）。利用者は、支払い金受領端末１４から提示される支払い金額を確認し、商品の購入代金を支払い金受領端末１４に支払う（Ｓ７）。支払い金受領端末１４は、利用者から支払いを受けたときに支払い完了通知を管理者端末１２に送る（Ｓ８）。管理者端末１２は、支払い金受領端末１４から支払い完了通知を受けたときに決済完了通知を利用者端末１６に送る（Ｓ９）。
【００５６】
図２は決済システムの第２の実施例を示す概念図である。本システムは、第１の実施例に示した決済システムにおける前半の工程（Ｓ１乃至Ｓ３）は含まず、後半の工程（Ｓ４乃至Ｓ９）に関する情報処理のみを行う。前半の工程（Ｓ１乃至Ｓ３）は、管理者が利用者から取得した利用者識別情報、商品識別情報、加盟店識別情報に基づいて決済情報を作成し、利用者に送るまでの工程であり、後半の工程（Ｓ４乃至Ｓ９）は、前半の工程（Ｓ１乃至Ｓ３）で作成された決済情報に基づいて決済処理を行う工程である。本システムは、前半の工程（Ｓ１乃至Ｓ３）を経ることなく作成された決済情報に基づいて、管理者、自動販売機、利用者の３者間における決済に関する情報処理を行う。
【００５７】
図３は決済システムの第３の実施例を示す概念図である。本システムは、第２の実施例に示した決済システムの処理工程のうち、支払い金受領端末１４が利用者端末１６から決済情報を取得する工程（Ｓ４）において他の実施例とは異なる取得方法を用いる。第２の実施例に示した決済システムの処理工程においては、支払い金受領端末１４は利用者端末１６に備わる画像表示機能や電波発生機能、音声発生機能等を用いて利用者端末１６から決済情報を取得することができる。これに対して、本システムは利用者端末１６を用いることなく利用者が支払い金受領端末に備えられたキーボード等の情報入力手段を用いて決済情報を入力する方法を用いる。この場合、管理者端末１２から利用者端末１６に決済完了通知を送る工程（Ｓ９）の代わりに、管理者端末１２から支払い金受領端末１４に通知するか、利用者が商品購入に際して登録している住所、電子メールアドレス等に通知する方法を用いる。
【００５８】
〔決済システムの構成〕
図４は決済システムの機能ブロック図である。なお、ここでは第１の実施例に示した決済システムを実現するための構成を示している。
【００５９】
管理者端末１２は、通信部２０、決済情報処理部２２、記憶部２４を備えている。
【００６０】
通信部２０は、利用者識別情報と商品識別情報と加盟店識別情報を利用者端末から受信する手段であり、利用者識別情報と商品識別情報と加盟店識別情報とに基づいて作成した決済情報を利用者端末に送信する手段であり、利用者端末に送信した決済情報を支払い金受領端末から受信する手段であり、支払い金受領端末から取得した決済情報の有効性が確認された場合に支払い金情報を支払い金受領端末に送信する手段である。
【００６１】
決済情報処理部２２は、利用者識別情報と商品識別情報と加盟店識別情報とに基づいて決済情報を作成する手段であり、決済情報に履歴情報を紐付けする手段であり、支払い金受領端末から取得した決済情報の有効性を検証する手段である。なお、決済情報は利用者識別情報と商品識別情報のみに基づいて作成することもできる。
【００６２】
記憶部２４は、利用者識別情報と商品識別情報と加盟店識別情報とに基づいて作成された決済情報を記憶する手段であり、さらには、利用者の利用者識別情報と前記利用者の利用者端末から受信した商品識別情報および加盟店識別情報とを前記利用者の履歴情報として記憶する手段である。
【００６３】
決済情報処理部２２は、利用者端末１６から受信した利用者識別情報と商品識別情報と加盟店識別情報とに基づいて決済情報を作成する。また同時に利用者識別情報に紐付けされた履歴情報も作成する。ここで作成された決済情報と履歴情報は記憶部２４に保存される。決済情報処理部２２で作成された決済情報は通信部２０を通じて利用者端末１６に送信される。
【００６４】
商品識別情報は利用者が購入する商品を特定するために商品の全てに付される識別情報である。商品識別情報は何らかの方法で商品と紐付けられていればよい。例えば、商品や商品のパッケージに商品識別情報を付すパターンや、商品の宣伝媒体（チラシやパンフレット、ポスター等）に付すパターン、商品や宣伝媒体に商品識別情報を記憶したチップ等を付すパターン等がある。商品等に付す商品識別情報としては、バーコードやＩＳＢＮコード、ＱＲコード（登録商標）等の二次元コードを利用することができ、この場合、利用者端末１６に備わるリーダー機能を用いることで商品識別情報を容易に取得することができる。その他、テキスト入力、音声入力、ビーコン等を利用して商品識別情報を取得することができる。また商品の外観を撮影した画像に基づいてデータベース検索することにより商品識別情報を取得することも可能である。
【００６５】
加盟店識別情報は全ての加盟店に付される識別情報である。加盟店識別情報は、加盟店の店舗内に設置されたビーコン等を利用することにより店舗内に持ち込まれた利用者端末１６に自動的に取得できる環境を用意したり、利用者端末１６の現在位置情報に基づいて加盟店を特定することによって取得したり、店舗内に設置された二次元コード等を読み取ることによって取得することも可能である。
【００６６】
利用者識別情報は全ての利用者に対応して付される識別情報である。利用者識別情報には、利用者端末１６のＩＰアドレスやマックアドレスの他に利用者が決済システムを利用する際に登録されるＩＤ・ＰＷ等を用いることができる。また利用者端末１６に履歴として残されるクッキー情報やアプリケーションソフト等に付されるユニークＩＤ等によっても取得することができる。
【００６７】
履歴情報には、利用者が購入を希望する商品と、その商品を取り扱う加盟店の識別情報が記憶される。利用者が複数の加盟店を移動しながら商品識別情報を取得すると、利用者識別情報と紐付けされた複数の商品識別情報と加盟店識別情報が履歴情報に保存される。
【００６８】
決済情報処理部２２は、支払い金受領端末１４から受信した決済情報と記憶部２４に記憶されている決済情報との整合性を検証し、決済情報に対応する識別情報を有する利用者を特定する。対応する利用者が存在しない場合など決済処理の遂行に不具合があると判断された場合はエラー処理を行う。
【００６９】
対応する利用者の特定ができた場合には、記憶部２４に保存されている履歴情報に基づいて支払い金額情報を作成する。支払い金額情報は、商品の購入代金の支払いを行う際に必要な情報を支払い金受領端末１４の画面に可視的に表示するものである。支払い金額情報には、商品名、金額、購入店舗名、購入日、支払い総額などの表示に加え、支払いが完了したときに操作する完了ボタンが設定される。なお、支払い金受領端末１４が自動販売機等の無人装置に搭載される場合には、支払い金額情報は金額だけでもよく、支払い完了ボタンは装備しなくてもよい。
【００７０】
支払い金受領端末１４は、通信部３０、決済情報取得部３２、支払い金額情報提示部３４、支払い金受領部３６を備えている。
【００７１】
決済情報取得部３２は、利用者端末１６から決済情報を取得する。決済情報の取得は、利用者端末１６の画面に二次元コードとして可視的に表示されるものを支払い金受領端末１４のスキャニング機能によって読み取る方法、赤外線通信やＢｌｕｅｔｏｏｔｈ（登録商標）等の近距離無線通信、サウンドコード等の様々な情報伝達技術を利用して読み取る方法や、キーボード等を用いて利用者が直接入力することにより取得する方法などがある。
【００７２】
支払い金額情報提示部３４は、管理者端末１２から送られてきた支払い金額情報を利用者が視認できるように液晶パネル等の表示装置に可視的に表示する。視覚障碍者等の利用に備えて音声による金額情報の提示を併用することもできる。
【００７３】
支払い金受領部３６は、利用者から支払い金を受領する。支払い金を受領する方法としては、現金による受領のほか、ポスペイド、プリペイド等のカード決済を利用することができる。自動販売機で受領する場合は、自動販売機に備わる貨幣投入口や紙幣投入口を利用して現金の支払いを受けることができる。
【００７４】
通信部３０は、決済情報取得部３２が取得した決済情報を管理者端末１２に送信する。また管理者端末１２から支払い金額情報を取得する。さらには支払い金を受領したときに支払い完了通知を管理者端末１２に送信する。支払い完了通知は、支払い金額に相当する金額を現金で受領したとき、またはカード決済が完了したときに自動的に管理者端末１２に送信されるか、支払い金受領端末１４に併設される完了ボタンを操作したときに管理者端末１２に送信される。
【００７５】
利用者端末１６は、通信部４０、記憶部４２、商品識別情報取得部４４、加盟店識別情報取得部４６、決済情報提示部４８を備えている。
【００７６】
商品識別情報取得部４４は、商品に付されている商品識別情報を取得する。例えば、商品に付された二次元コードを利用者端末１６のカメラ等を用いてスキャニングしてコード情報を取得することができる。商品識別情報は、商品や商品のパッケージ、商品の宣伝媒体となるポスター、パンフレット、書籍等に印刷されている二次元コード、またはモニター等に表示された二次元コードからも取得することができる。またＪＡＮコードの数字や商品の型番等をキーボード入力したり音声入力したりする方法も採用することができる。さらには、管理者が運営するウェブサイトや、予め業務上の提携を結んだ他の事業者が運営するウェブサイトに表示されているコンテンツから希望のものを選択することも可能である。
【００７７】
加盟店識別情報取得部４６は、加盟店に付されている加盟店識別情報を取得する。加盟店識別情報は、加盟店の店舗内に設置されたビーコン等を利用することにより店舗内に持ち込まれた利用者端末１６に自動的に取得することができる。また、利用者端末１６の現在位置情報に基づいて加盟店を特定することによって取得したり、店舗内に表示されている二次元コード等を読み取ることによって取得することも可能である。
【００７８】
決済情報提示部４８は、記憶部４２に記憶されている決済情報を支払い金受領端末１４が取得できるように提示する。決済情報の提示は、利用者端末１６の画面に二次元コード等のコード情報として可視的に表示し、支払い金受領端末１４のスキャニング機能によって読み取らせる方法、赤外線通信やＢｌｕｅｔｏｏｔｈ（登録商標）等の近距離無線通信を用いる方法、サウンドコード等の様々な情報伝達技術を利用する方法のほかに、キーボード等を用いて直接入力する方法などがある。
【００７９】
〔決済処理〕
次に、決済システムを用いた決済処理の一例について、図５のフローチャートに基づいて説明する。
【００８０】
アプリケーションソフト取得：利用者は、決済システムの利用に際して、管理者が用意するアプリケーションソフト（以下、アプリという。）を自身が所持する利用者端末（携帯電話機、スマートフォン、その他のインターネット接続可能な電子機器等）にインストールする（Ｓ１１：アプリインストール）。決済システムは、アプリをインストールした利用者端末の操作により決済処理が進行する。なお、決済システムの利用においては、利用者端末に予めアプリをインストールしておくことが最も推奨される形態であるが、管理者が管理するウェブサイトを通して決済システムを利用することも可能である。
【００８１】
商品識別情報取得：利用者は、加盟店Ａが取り扱う商品の中から希望の商品を購入するときには、利用者端末を用いて当該商品の識別情報を取得する（Ｓ１２：商品識別情報取得）。商品識別情報は商品毎に付された固有情報であり、利用者が希望する商品を管理者が特定するための情報である。商品識別情報は何らかの方法で商品と紐付けられていればよい。例えば、商品や商品のパッケージに商品識別情報を付すパターンや、商品の宣伝媒体（チラシやパンフレット、ポスター等）に付すパターン、商品や宣伝媒体に商品識別情報を記憶したチップ等を付すパターン等がある。商品等に付す商品識別情報としては、バーコードやＩＳＢＮコード、ＱＲコード（登録商標）等の二次元コードを利用することができ、この場合、利用者端末に備わるリーダー機能を用いることで商品識別情報を容易に取得することができる。その他、テキスト入力、音声入力、ビーコン等を利用して商品識別情報を取得することができる。また商品の外観を撮影した画像に基づいてデータベース検索することにより商品識別情報を取得することも可能である。
【００８２】
加盟店識別情報取得：加盟店識別情報は、加盟店の全てに割り当てられる固有の情報であり、利用者が希望する商品を取り扱う加盟店を管理者が特定するための情報である。加盟店の店舗内ではビーコン等を利用することにより利用者端末で加盟店識別情報がいつでも受信できる環境になっており、利用者端末に商品識別情報を取得したときに同時に加盟店Ａの加盟店識別情報を取得する（Ｓ１３：加盟店Ａ識別情報取得）。加盟店識別情報はビーコンにより取得する方法の他にも、利用者端末の現在位置情報に基づいて加盟店を特定することによって取得することも可能である。
【００８３】
管理者端末への送信：利用者端末に取得された商品識別情報と加盟店識別情報は、利用者識別情報とともに管理者端末に送信する（Ｓ１４：商品識別情報等送信）。利用者識別情報は、商品識別情報と加盟店識別情報を送信した利用者を管理者が特定するための情報である。利用者識別情報は、アプリ使用時に入力するＩＤとＰＷや利用者端末に固有のマックアドレス、利用者端末に保存されるクッキー情報、アプリ等に付されるユニークＩＤ等によって取得することができる。
【００８４】
決済情報の作成：管理者端末は、利用者端末から利用者識別情報と商品識別情報と加盟店識別情報を受信し（Ｓ１５：商品識別情報等受信）、これらの情報に基づいて決済情報を作成し、記憶する（Ｓ１６：決済情報作成・記憶）。決済情報は同時に利用者端末に送信され（Ｓ１８：決済情報送信）、利用者端末にも記憶される（Ｓ１９：決済情報受信・記憶）。決済情報は、利用者が商品の代金を支払うときに用いる情報であり、管理者端末において履歴情報と紐付けられている。
【００８５】
履歴情報の作成：管理者端末は、決済情報に続いて履歴情報を作成し、記憶する（Ｓ１７：履歴情報作成・記憶）。履歴情報は、利用者がいつどこでどの商品を選択したのかについて、利用者識別情報と紐づけされた履歴として記録するものである。利用者が加盟店Ａに続いて別の加盟店Ｂで買い物をする場合、加盟店Ａで商品識別情報を取得した場合と同様に加盟店Ｂで商品識別情報を取得し、管理者端末に送信する（Ｓ２０：商品識別情報等送信）。管理者端末は、利用者端末が新たに取得した商品識別情報を受信し（Ｓ２１：商品識別情報等受信）、加盟店Ｂ識別情報とともに履歴情報として記憶する（Ｓ２２：履歴情報記憶）。
【００８６】
決済：利用者は決済情報を取得した後であればいつでも商品購入代金の決済を行うことができる。決済は商品識別情報を取得した加盟店で行ってもよいし、他の加盟店で行うことも可能である。ここでは支払い金受領端末決済を備える自動販売機を利用して決済を行う。利用者は利用者端末に記憶されている決済情報を利用者端末の画面に表示する（Ｓ２３：決済情報提示）。決済情報は一次元コードもしくは二次元コードとして画像表示される。画像表示された決済情報は自動販売機に備えられた支払い金受領端末のスキャン機能によって読み取ることができる。支払い金受領端末は利用者端末に表示された画像を読み取ることにより決済情報を取得する（Ｓ２４：決済情報取得）。支払い金受領端末は、利用者端末から取得した決済情報とともに支払い金受領端末識別情報を管理者端末に送信する（Ｓ２５：決済情報送信）。支払い金受領端末識別情報は、支払い金受領端末の全てに割り当てられる固有の情報であり、利用者から支払いを受ける端末を管理者が特定するための情報である。識別情報としては、各支払い金受領端末に個別に与えられるＩＤとＰＷや、端末に固有のマックアドレス、アプリ等に付されるユニークＩＤ等を利用することができる。管理者端末は、支払い金受領端末から決済情報を受信し（Ｓ２６：決済情報受信）、受信した決済情報と記憶されている決済情報とを照合し、決済情報の有効性を検証する（Ｓ２７：決済情報検証）。検証の結果、支払い金受領端末から受信した決済情報の有効性が確認された場合は支払い金受領端末に支払い金額情報を送信する（Ｓ２９：支払い金額情報送信）。有効性が確認できない場合は支払い金受領端末にエラー通知を行う（Ｓ２８：エラー通知）。支払い金受領端末は管理者端末から支払い金額情報を受信する（Ｓ３０：支払い金額情報受信）。支払い金額情報に備わる画面には、商品名、金額、購入店舗名、購入日等のデータに加え、支払いが完了したときに操作する支払い完了ボタンが表示される。利用者は、現金、クレジットカード、プリペイドカード等を用いて支払いを行い、支払いが完了したときに支払い完了ボタンを操作する。この操作に基づいて支払い金受領端末は管理者端末に支払い完了通知を送信する（Ｓ３１：支払い完了通知送信）。管理者端末が支払い金受領端末から支払い完了通知を受信すると（Ｓ３２：支払い完了通知受信）、利用者と管理者との間で商品購入代金の決済が完了し、管理者端末から利用者端末に決済完了通知を送信する（Ｓ３３：決済完了通知送信）。利用者端末は管理者端末から決済完了通知を受信し（Ｓ３４：決済完了通知受信）、利用者は画面に表示されるダイアログにより決済の完了を確認する。
【００８７】
〔電子コンテンツの配信〕
決済システム１０は利用者端末に電子コンテンツ（電子書籍、電子ゲーム、ミュージックデータ等）を配信するサービスを付加することができる。図６は、利用者端末としてスマートフォンを用いて電子書籍を購入するときの手順を示している。電子書籍は、店頭で書籍に付されたＩＳＢＮコード等を読み取ることにより購入する方法と、ウェブサイトを通じて購入する方法の２通りがある。店頭で購入する場合は、利用者端末のブラウザに表示されている撮像エリアにＩＳＢＮコード等を収めるだけで自動的に撮像され、対応する電子書籍の商品識別情報を取得することができる（Ｓ４０）。商品識別情報は自動的に利用者識別情報と合わせて管理者端末に送られる。管理者端末で作成された決済情報は、読み取り可能な決済コードとして利用者端末のブラウザに自動的に表示される（Ｓ４１）。商品識別情報の送信から決済情報の受信までは極めて短い時間で自動的に行われる。従って、利用者端末のブラウザ上でＩＳＢＮコード等の読み取りを行うと、同じブラウザ上に決済コードが瞬時に表示される。
【００８８】
電子書籍をウェブサイトを通じて購入する場合は、利用者端末のブラウザに表示された電子書籍から希望する電子書籍が表示されている箇所をタップすると、対応する電子書籍の商品識別情報を取得することができる（Ｓ４２）。店頭で購入する場合との違いは、この商品識別情報の取得方法の違いだけであり、その後の流れについては店頭で購入する場合と同じである。
【００８９】
電子書籍の購入代金の支払いは、支払い金受領端末を備える店舗や自動販売機等にて行う。支払いには決済コードを用いる。支払いの際には、支払い金受領端末のスキャニング機能を用いて、利用者端末のブラウザに表示させた決済コードを支払い金受領端末に読み取らせる（Ｓ４３）。支払い金受領端末が有人の店舗に設置されている場合は、店舗スタッフが支払い金受領端末を操作して決済コードを読み取ることもできる。支払い金受領端末は決済コードを読み取ることによって決済情報を取得し、取得した決済情報は管理者端末に送信する。
【００９０】
管理者端末に送られた決済情報は管理者端末において有効性の検証作業が行われる。有効性が確認された場合には、管理者端末から支払い金受領端末に支払い金情報を送信する。支払い金受領端末は、受信した支払い金情報に基づいて、利用者に請求する金額等を画面に表示する（Ｓ４４）。画面には請求金額のほかに電子書籍の表紙、題名等が表示され、画面の下部には支払い完了ボタンが表示される。支払い金受領端末が利用者端末から決済情報を取得してから支払い金情報を画面に表示するまでは極めて短い時間で自動的に行われる。
【００９１】
利用者は現金やクレジットカード、プリペイドカード等により支払いを行う（Ｓ４５）。支払いが完了したら、有人店舗の場合は店舗スタッフが支払い完了ボタンを操作し、支払い完了通知を管理者端末に送る。自動販売機や無人店舗の場合には、支払い金に相当する金額の支払いを受けた時点で支払い金受領端末から管理者端末に支払い完了通知が自動的に送信される。
【００９２】
管理者端末は、支払い完了通知を受信したら、決済完了通知とともに電子書籍のダウンロード情報を利用者端末に送信する（Ｓ４６）。決済完了通知とダウンロード情報は使用者端末のブラウザにダイアログとして自動的に表示される。ダイアログにはダウンロード開始を確認するログが表示され、利用者の選択に応じて任意のタイミングでダウンロードを実行する（Ｓ４７）。ダウンロード情報は利用者端末に記憶させておくこともでき、利用者はいつでも好きなときに電子書籍をダウンロードすることができる。ダウンロードした電子書籍は利用者端末の電子コンテンツ保存用のフォルダに記憶する。
【００９３】
〔店頭での電子書籍の購入〕
最後に、店頭にて電子書籍を購入するときの手順について、図７を参照して説明する。
【００９４】
利用者は店頭で購入したい電子書籍があれば、電子書籍の背表紙に印刷されているＩＳＢＮコード（日本図書コード、書籍ＪＡＮコード）をスマートフォンのアプリと連動するカメラで撮像する（Ｓ５０）。この操作は利用者端末で商品識別情報を取得する工程に該当する。
【００９５】
ＩＳＢＮコード（日本図書コード、書籍ＪＡＮコード）を撮像すると、スマートフォンのブラウザには電子書籍の表紙とともに「買物続ける」ボタンと決済コードが自動的に表示される（Ｓ５１）。決済コードは、スマートフォンから送られてきたＩＳＢＮコード情報と利用者識別情報に基づいて管理者端末において作成された決済情報であり、スマートフォンの画面を通してスキャニング可能な二次元コードの形態で表示される。
【００９６】
さらに他の電子書籍を続けて購入する場合は、「買物続ける」ボタンを操作すると撮像画面に切り替わるので、そのまま他の電子書籍のＩＳＢＮコードを撮像する（Ｓ５２）。
【００９７】
スマートフォンのブラウザに電子書籍の表紙とともに「買物続ける」ボタンと決済コードが自動的に表示される点は一回目の購入と同様である（Ｓ５３）。ここで表示される決済コードは一回目の購入時に表示された決済コードと同じものである。一回目の決済コードに後から購入される電子書籍の情報が紐付けされていく仕組みとなっており、紐付けされた電子書籍の商品識別情報は履歴情報として管理者端末に保存される。すなわち、一回目の購入により決済情報と紐付けされたカート（買い物かご）が仮想的に用意され、その後に購入された商品は順次このカートの中に収められていくというイメージである。
【００９８】
さらに電子書籍の購入を続ける場合は、再度「買物続ける」ボタンを操作すると撮像画面に切り替わり、次の電子書籍のＩＳＢＮコードを撮像する準備が整う。このように電子書籍を複数購入する場合、ＩＳＢＮコードの撮像と「買物続ける」ボタンの操作のみで完了する。
【００９９】
電子書籍の購入代金の支払いは、スマートフォンのブラウザに表示されている決済コードを書店（システム加盟店）の支払い金受領端末に読み取らせるだけである。支払い金の総額は、決済コードを読み取らせた時点においてカートに含まれる電子書籍の価格の合計となる。
【０１００】
以上のように、決済システム１０を利用して電子書籍を購入する場合、一つのブラウザ上でＩＳＢＮコードの撮像（商品の選択）から決済コードの読み取り（商品代金の支払い）までが完結し、さらには追加書籍の購入もできるため、無駄のない最小限の操作で決済を行うことができる。
【０１０１】
商品識別情報のほかに加盟店識別情報も合わせて取得することで他の加盟店や自動販売機に備えられた支払い金受領端末で購入代金の支払いを行うことも可能である。
【符号の説明】
【０１０２】
１０  決済システム
１２  管理者端末
１４  支払い金受領端末
１６  利用者端末
２２  決済情報処理部
３２  決済情報取得部
３４  支払い金額情報提示部
３６  支払い金受領部
４４  商品識別情報取得部
４６  加盟店識別情報取得部
４８  決済情報提示部
【図１】
2016095547.tif 000003
【図２】
2016095547.tif 000004
【図３】
2016095547.tif 000005
【図４】
2016095547.tif 000006
【図５】
2016095547.tif 000007
【図６】
2016095547.tif 000008
【図７】
2016095547.tif 000009